(57)【要約】      （修正有）【課題】広告の対象者や広告を表示する立地を考慮し、広告の視認性が高まる場所に広告を配信できる広告配信システムを提供する。【解決手段】ネットワークを介して接続される電子機器へ広告を送信可能な管理サーバと、前記管理サーバより受信した前記広告を画像表示装置を介して屋外に向けて表示可能な前記電子機器とを有する広告配信システムであって、管理サーバは、広告を表示する画像表示装置の立地情報を記憶し、また、広告と広告の表示条件を含む広告情報を記憶し、立地情報及び広告情報に含まれる表示条件にしたがって、広告情報を送信する前記電子機器を検索し、検索された電子機器へ広告情報を送信し、電子機器は管理サーバから受信した広告を、画像表示装置を介して表示する。【選択図】図５
2015153234.tif 000002
【特許請求の範囲】
【請求項１】
ネットワークを介して接続される電子機器へ広告を送信可能な管理サーバと、前記管理サーバより受信した前記広告を画像表示装置を介して屋外に向けて表示可能な前記電子機器とを有する広告配信システムであって、
前記管理サーバは、
前記広告を表示する前記画像表示装置の立地情報を記憶する立地情報記憶手段と、
前記広告と前記広告の表示条件を含む広告情報を記憶する広告情報記憶手段と、
前記立地情報記憶手段によって記憶される前記立地情報及び前記広告情報記憶手段によって記憶される前記広告情報に含まれる前記表示条件にしたがって、前記広告情報を送信する前記電子機器を検索する検索手段と、
前記検索手段によって検索された前記電子機器へ前記広告情報を送信する広告送信手段と
を有し、
前記電子機器は、前記管理サーバから前記広告情報を受信し、前記広告を前記画像表示装置を介して表示させる広告表示手段を有する
ことを特徴とした広告配信システム。
【請求項２】
請求項１に記載の広告配信システムにおいて、
前記立地情報は、前記画像表示装置によって表示される前記広告を視認できる交通手段と前記交通手段の利用者が通行する頻度に関する情報を含み、
前記表示条件は、前記広告の対象者が利用する前記交通手段と前記交通手段の利用者が通行する頻度に関する情報を含み、
前記検索手段は、前記立地情報に含まれる前記画像表示装置によって表示される前記広告を視認できる前記交通手段と前記交通手段の利用者が通行する頻度に関する情報、及び前記表示条件に含まれる前記広告の対象者が利用する前記交通手段と前記交通手段の利用者が通行する頻度に関する情報にしたがって、前記広告情報を送信する前記電子機器を検索する
ことを特徴とした広告配信システム。
【請求項３】
請求項１又は２に記載の広告配信システムにおいて、
前記立地情報は、前記画像表示装置が前記広告を表示可能な時間帯に関する情報を含み、
前記表示条件は、前記広告を表示させる時間帯に関する情報を含み、
前記検索手段は、前記立地情報に含まれる前記電子機器が広告を表示可能な時間帯に関する情報及び前記表示条件に含まれる前記広告を表示させる時間帯に関する情報にしたがって前記広告情報を送信する前記電子機器を検索する
ことを特徴とした広告配信システム。
【請求項４】
請求項３に記載の広告配信システムにおいて、
前記広告表示手段は、前記表示条件に含まれる前記広告を表示させる時間帯にしたがって、前記画像表示装置に前記広告を表示する
ことを特徴とした広告配信システム。
【請求項５】
請求項１乃至４のいずれか一項に記載の広告配信システムにおいて、
前記立地情報は、前記電子機器が広告を表示させる地域に関する情報を含み、
前記表示条件は、前記広告を表示させたい地域に関する情報を含み、
前記検索手段は、前記立地情報に含まれる前記電子機器が前記広告を表示させる地域に関する情報と、前記表示条件に含まれる前記広告を表示させたい地域に関する情報にしたがって、前記広告情報を送信する前記電子機器を検索する
ことを特徴とした広告配信システム。
【請求項６】
管理サーバから画像表示装置を介して広告を表示可能な電子機器へ広告を配信可能な広告配信方法であって、
前記広告を表示する前記画像表示装置の立地情報を記憶する立地情報記憶手順と、
前記広告と前記広告の表示条件を含む広告情報を記憶する広告情報記憶手順と、
前記立地情報記憶手順によって記憶される前記立地情報及び前記広告情報記憶手順によって記憶される前記広告情報に含まれる前記表示条件にしたがって前記広告情報を送信する前記電子機器を検索する検索手順と、
前記検索手順によって検索された前記電子機器へ前記広告情報を送信する広告送信手順と
を有することを特徴とした広告配信方法。
【請求項７】
管理サーバから画像表示装置を介して広告を表示可能な電子機器へ広告を配信可能な広告配信プログラムであって、
コンピュータに
前記広告を表示する前記画像表示装置の立地情報を記憶する立地情報記憶ステップと、
前記広告と前記広告の表示条件を含む広告情報を記憶する広告情報記憶ステップと、
前記立地情報記憶ステップによって記憶される前記立地情報及び前記広告情報記憶ステップによって記憶される前記広告情報に含まれる前記表示条件にしたがって前記広告情報を送信する前記電子機器を検索する検索ステップと、
前記検索ステップによって検索された前記電子機器へ前記広告情報を送信する広告送信ステップと
を実行させる為の広告配信プログラム。
【発明の詳細な説明】
【技術分野】
【０００１】
本発明は、広告配信における制御技術に関する。
【背景技術】
【０００２】
近年、広告のデジタル化が進み、デジタル化した広告を配信し、配信先の装置に表示させることができる。
【０００３】
例えば、屋外に向けて広告を表示することができる装置へ広告を配信する技術が既に知られている（例えば特許文献１等を参照）。
【０００４】
また、ＭＦＰ（Multifunction Peripheral）などが設置されている場所やＭＦＰの利用者にあった広告を表示させる技術が既に知られている（例えば特許文献２、３等を参照）。
【０００５】
また、窓ガラスにホログラムフィルムを貼り付け、ホログラムフィルムに広告画像を投影する技術が既に知られている（例えば特許文献４等を参照）。
【発明の概要】
【発明が解決しようとする課題】
【０００６】
従来の技術では、駅の通路など屋外に設置されたデジタルサイネージ装置に配信された広告を表示させることができる。しかしながら、従来の技術は、広告の配信という点で、広告の対象者や広告を表示する立地を充分に考慮しておらず、効果的に広告を配信しているとは言えないという問題があった。
【０００７】
本発明は、上記の従来の問題点に鑑み提案されたものであり、その目的とするところは、広告の対象者や広告を表示する立地を考慮し、広告の視認性が高まる場所に広告を配信できる広告配信システムを提供することにある。
【課題を解決するための手段】
【０００８】
上記の課題を解決するため、本発明にあっては、ネットワークを介して接続される電子機器へ広告を送信可能な管理サーバと、前記管理サーバより受信した前記広告を画像表示装置を介して屋外に向けて表示可能な前記電子機器とを有する広告配信システムであって、前記管理サーバは、前記広告を表示する前記画像表示装置の立地情報を記憶する立地情報記憶手段と、前記広告と前記広告の表示条件を含む広告情報を記憶する広告情報記憶手段と、前記立地情報記憶手段によって記憶される前記立地情報及び前記広告情報記憶手段によって記憶される前記広告情報に含まれる前記表示条件にしたがって、前記広告情報を送信する前記電子機器を検索する検索手段と、前記検索手段によって検索された前記電子機器へ前記広告情報を送信する広告送信手段とを有し、前記電子機器は、前記管理サーバから前記広告情報を受信し、前記広告を前記画像表示装置を介して表示させる広告表示手段を有する。
【発明の効果】
【０００９】
本発明にあっては、広告の対象者や広告を表示する立地を考慮し、広告の視認性が高まる場所に広告を配信できる。
【図面の簡単な説明】
【００１０】
【図１】本発明の一実施形態における広告配信システムのシステム構成例を示す図である。
【図２】本発明の一実施形態におけるＭＦＰのハードウエアの構成例を示す図である。
【図３】本発明の一実施形態における広告表示装置を構成するプロジェクタのハードウエアの構成例を示す図である。
【図４】本発明の一実施形態におけるＭＦＰ管理サーバのハードウエアの構成例を示す図である。
【図５】本発明の一実施形態における広告配信システムの機能構成例を示す図である。
【図６】本発明の一実施形態におけるＭＦＰ情報の登録画面例を示す図である。
【図７】本発明の一実施形態における広告表示装置の登録画面例を示す図である。
【図８】本発明の一実施形態における評価値の設定テーブル例を示す図である。
【図９】本発明の一実施形態におけるＭＦＰ情報記憶手段に記憶されるＭＦＰ情報の一例を示す図である。
【図１０】本発明の一実施形態における事業者情報登録画面の一例を示す図である。
【図１１】本発明の一実施形態における広告投稿画面の一例を示す図である。
【図１２】本発明の一実施形態における広告記憶手段に記憶される広告情報の一例を示す図である。
【図１３】本発明の一実施形態における広告を投稿されてから広告を表示するまでの流れを示すシーケンス図である。
【図１４】本発明の一実施形態における広告表示の処理手順を示すフローチャートである。
【発明を実施するための形態】
【００１１】
以下、本発明の好適な実施の形態について図面を用いて詳細に説明する。
【００１２】
＜システム構成＞
図１は、本発明の実施形態における広告配信システムのシステム構成の一例を示す図である。図１に示されるように、広告配信システムは、ＭＦＰ１（Multifunction Peripheral）１ａ、１ｂ、・・・１ｎ（それぞれを区別しない場合「ＭＦＰ１」という。）と、広告表示装置２と、広告配信管理サーバ群に含まれるＭＦＰ管理サーバ３、事業者管理サーバ４、広告管理サーバ５を有する。
【００１３】
ＭＦＰ１と広告表示装置２とは、ＬＡＮ（Local Area Network）等のネットワークＮ１を介して接続されている。
【００１４】
広告配信管理サーバ群に含まれるＭＦＰ管理サーバ３、事業者管理サーバ４、広告管理サーバ５は、それぞれＬＡＮ等のネットワークＮ２に接続されている。
【００１５】
ネットワークＮ１と、ネットワークＮ２とは、インターネット等のネットワークＮ３を介して相互に通信可能である。
【００１６】
ＭＦＰ１は、電子機器の一例であって、印刷、スキャン、コピー及びファクシミリ等の機能のうち、少なくとも印刷機能を含む一以上の機能を一台の筐体によって実現する画像処理装置である。また、本発明の一実施形態におけるＭＦＰ１は、音声広告及びバナー画像に関するデータが記憶されている。
【００１７】
広告表示装置２は、例えば、透明なホログラムスクリーンとプロジェクタとで構成されたものや、画像データを表示可能なディスプレイなどである。図１では、ネットワークごとに１台の広告表示装置が示されているが、１つのネットワークに複数の広告表示装置が備えられていてもよい。
【００１８】
次に広告配信管理サーバ群に含まれる各サーバ装置について説明する。
【００１９】
ＭＦＰ管理サーバ３は、ＭＦＰ１の設置場所や広告の表示環境等に関する情報を記憶する情報処理装置である。なお、ＭＦＰ管理サーバ３は、ＮＡＳ（Network Attached Storage）等のネットワークに接続されたストレージ（ファイルサーバ）であってもよい。
【００２０】
事業者管理サーバ４は、広告を提供する事業者及び事業者に対する課金情報を管理する情報処理装置である。事業者管理サーバ４は、ＮＡＳ等により構築されてもよい。
【００２１】
広告管理サーバ５は、ユーザに提供する広告に関する情報（広告情報）を記憶する情報処理装置である。広告管理サーバ５は、ＮＡＳ等により構築されてもよい。
【００２２】
なお、広告配信管理サーバ群に含まれる、ＭＦＰ管理サーバ３、事業者管理サーバ４、及び広告管理サーバ５は、それぞれの装置が備える機能を一台の装置に集約させるような構成としてもよいし、一以上の装置に各機能を分散させるような構成としてもよい。
【００２３】
＜ハードウエア構成＞
≪ＭＦＰ≫
図２は、本発明の実施形態におけるＭＦＰ１のハードウエア構成の一例を示す図である。
【００２４】
ＭＦＰ１は、コントローラ１００と、操作パネル１１０と、記憶メディアＩ／Ｆ(Interface)１２０と、データ通信Ｉ／Ｆ１３０と、ＨＤＤ（Hard Disk Drive）１４０と、ＵＳＢ  Ｉ／Ｆ１５０と、スキャナ１６０と、プロッタ１７０とを有し、それぞれＰＣＩバス１８０で相互に接続されている。
【００２５】
コントローラ１００は、ＲＯＭ（Read Only Memory）１０１、ＲＡＭ（Random Access Memory）１０２及びＣＰＵ１０３を有しており、ＲＯＭ１０１は、ＭＦＰ１が起動されるときに実行されるプログラムや各種データを格納している。また、ＲＡＭ１０２は、ＲＯＭ１０１やＨＤＤ１４０から読み出された各種プログラムやデータを一時保持する。
【００２６】
操作パネル１１０は、入力装置１１１と表示装置１１２とを有しており、入力装置１１１は、ハードウェアキー等で構成され、ＭＦＰ１に各操作信号を入力するのに用いられる。また、表示装置１１２は、ディスプレイ等で構成され、例えば画像形成動作に関する各種情報を表示する。
【００２７】
記憶メディアＩ／Ｆ１２０は、ドライブ装置１２１を有しており、ドライブ装置１２１に記録媒体１２２がセットされると、記録媒体１２２に記録される各種データがドライブ装置１２１を介してＨＤＤ１４０に格納される。
【００２８】
データ通信Ｉ／Ｆ１３０は、インタフェース装置１３１を有しており、ＭＦＰ１をネットワークＮ１等のデータ伝送路に接続するインタフェースである。
【００２９】
ＨＤＤ１４０は、ＭＦＰ１で取り扱われる受信文書データや読み取り画像データ等の各種データを格納している。また、ＨＤＤ１４０は、これらの各種データを、所定のファイルシステムやＤＢ（Data Base）により管理している。ＨＤＤ１４０に格納される各種データの中には、例えば、スマートフォンやデジタルカメラ等の外部機器によって記録された電子データも含まれる。このような場合には、ＳＤカード等の記録媒体１２２によってＭＦＰ１に提供されたり、データ伝送路であるネットワーク等を通じてアップロードされたりする。
【００３０】
ＵＳＢ  Ｉ／Ｆ１５０は、ＵＳＢ（Universal Serial Bus）ホスト１５１を有しており、ＵＳＢホスト１５１は、ＵＳＢケーブルを介して、各種装置と接続する。ＵＳＢホスト１５１は、各種装置と通信するための物理的・電気的Ｉ／Ｆを制御する機能及びＵＳＢプロトコルを制御する機能を有する。
【００３１】
スキャナ１６０は、画像読取装置１６１を有しており、読み取り面に配置された原稿を光学的に読み取り画像データを生成する。
【００３２】
プロッタ１７０は、印刷装置１７１を有しており、例えば、電子写真プロセス方式によってビットマップイメージを記録紙に印刷する。
【００３３】
このように、本発明の実施形態におけるＭＦＰ１では、上記ハードウエア構成により、コピー、プリンタ、ファクシミリ、スキャナ等の複数の機能、情報検索機能及び通信機能等を実現している。
【００３４】
≪広告表示装置≫
図３は、本発明の一実施形態における広告表示装置を構成するプロジェクタのハードウエア構成の一例を示す図である。
【００３５】
広告表示装置２は、バス２００で相互に接続されているＲＡＭ２０１、ＣＰＵ２０２、フラッシュメモリ２０３、通信Ｉ／Ｆ２０４、ＥＥＰＲＯＭ（Electrically Erasable Programmable Read-Only Memory）２０５、操作部２０６、映像入力部２０７、映像出力部２０８、ランプ２０９を有する構成である。
【００３６】
ＲＡＭ２０１は、ＣＰＵ２０２によるプログラムの実行のため、一時的に読み出したプログラムやデータを記憶するために用いられる。ＣＰＵ２０２は、プログラムを実行させ、装置全体を制御するために用いられる。フラッシュメモリ２０３、ＥＥＰＲＯＭ２０５は、画像データや音声データなどの各種データを記憶するために用いられる。
【００３７】
通信Ｉ／Ｆ２０４は、データ伝送路やネットワークを介してＭＦＰ１と画像データの送受信を行うために用いられる。操作部２０６は、ユーザからの操作を受けつけ、画像の明るさ調整、音量調整などの操作を行うために用いられる。
【００３８】
映像入力部２０７は、通信Ｉ／Ｆを介して接続されるＭＦＰ１から画像データの入力を受けつけるために用いられる。映像出力部２０８は、例えば、液晶表示装置であり、映像入力部２０７から受けつけた画像データを出力するために用いられる。ランプ２０９は、例えば、ハロゲンランプがあり、光を出し、投影レンズ（図示せず）を介して画像データをホログラムスクリーンなどの投影面に投影するために用いられる。
【００３９】
≪ＭＦＰ管理サーバ≫
図４は、本発明の実施形態におけるＭＦＰ管理サーバ３のハードウエア構成の一例を示す図である。
【００４０】
ＭＦＰ管理サーバ３は、ＭＦＰ管理サーバ３の全体の動作を制御するＣＰＵ３０１、ＩＰＬ（Initial Program Loader）等のＣＰＵ３０１の駆動に用いられるプログラムを記憶したＲＯＭ３０２、ＣＰＵ３０１のワークエリアとして使用されるＲＡＭ３０３、管理端末用のプログラム等の各種データ等を記憶するＨＤ３０４、ＣＰＵ３０１の制御にしたがってＨＤ３０４に対する各種データの読み出し又は書き込みを制御するＨＤＤ３０５、フラッシュメモリ等の記録メディア３０６に対するデータの読み出し又は書き込み（記憶）を制御するメディアドライブ３０７、カーソル、メニュー、ウィンドウ、文字又は画像等の各種情報を表示するディスプレイ３０８、ネットワークを利用してデータ通信するためのネットワークＩ／Ｆ３０９、文字、数値、各種指示等の入力のための複数のキーを備えたキーボード３１０、各種指示の選択や実行、処理対象の選択、カーソルの移動等を行うマウス３１１、着脱可能な記録媒体の一例としてのＣＤ−ＲＯＭ３１３に対する各種データの読み出し又は書き込みを制御するＣＤ−ＲＯＭドライブ３１２、外部機器を接続するための外部機器Ｉ／Ｆ３１４並びに上記各構成要素を電気的に接続するためのアドレスバスやデータバス等のバスライン３１５を備えている。
【００４１】
このように、本発明の実施形態におけるＭＦＰ管理サーバ３では、上記ハードウエア構成により、ＭＦＰ１との通信機能及び情報記憶機能等を実現している。
【００４２】
なお、事業者管理サーバ４及び広告管理サーバ５は、ＭＦＰ管理サーバ３と同様のハードウエア構成を有していればよい。
【００４３】
＜機能構成＞
図５は、本発明の一実施形態における広告配信システムの機能構成例を示す図である。
【００４４】
≪ＭＦＰ≫
ＭＦＰ１は、配信広告受信手段１１、配信広告記憶手段１２、広告表示制御手段１３、ＭＦＰ操作手段１４及びＭＦＰ機能実行手段１５を有する。
【００４５】
配信広告受信手段１１は、広告管理サーバ５から配信される広告を受信する。配信広告記憶手段１２は、配信広告受信手段１１にて受信された広告を記憶する。
【００４６】
広告表示制御手段１３は、配信広告記憶手段１２から広告を取得し、現在時刻に表示できる広告を一又は複数の広告表示装置２へ表示させるよう要求する。また、広告表示制御手段１３は、広告表示装置２にて表示されている広告が表示されている時間を記録し、所定の時間が経過したら当該広告の表示を終了するように広告表示装置２へ通知する。また、広告表示制御手段１３は、取得した広告が表示可能か否かを広告管理サーバ５へ問い合わせる。広告表示制御手段１３は、取得した広告が表示可能な場合、広告を広告表示装置２へ送信する。反対に、取得した広告が表示できない場合、広告表示制御手段１３は、配信広告記憶手段１２から該当する広告を削除する。
【００４７】
ＭＦＰ操作手段１４は、操作パネル１１０などにメニュー画面を表示させ、ＭＦＰ１で実行可能なコピーやＦＡＸなどの機能の操作を受け付ける。ＭＦＰ操作手段１４は、受け付けた操作の実行をＭＦＰ機能実行手段１５へ要求する。また、ＭＦＰ操作手段１４は、ＭＦＰ情報の登録画面を表示させ、ユーザからＭＦＰ情報の入力を受け付ける。ＭＦＰ情報は、ＭＦＰ本体に関する情報と広告表示装置２に関する情報を有しており、それぞれの登録画面から入力を受け付ける。
【００４８】
図６は、本発明の一実施形態におけるＭＦＰ情報の登録画面例を示す図である。図６に示す登録画面では、ＭＦＰ本体に関する情報の入力を受け付ける。ＭＦＰ本体に関する情報は、「ＭＦＰ識別番号」、「環境」、「地域」などである。
【００４９】
「ＭＦＰ識別番号」は、ＭＦＰ１を一意に識別する識別番号であり、一意であれば任意の数字、文字、記号又はこれらの組み合わせにより構成されればよい。
【００５０】
「環境」はＭＦＰ１が設置されている環境を示す情報である。「環境」は例えば、「テレワークオフィス」、「コンビニエンスストア」等である。また、登録画面で該当する環境を選択すると、「環境」は、環境に対応した「環境コード」に変換され、ＭＦＰ情報として保存される。「環境コード」は、例えば「環境コード１：コンビニエンスストア」、「環境コード２：マンション」、「環境コード３：テレワークオフィス」・・・のように設定される。
【００５１】
「地域」は、ＭＦＰ１が設置されている地域を示す情報である。「地域」は例えば、都道府県名や市町村名等である。また、登録画面で該当する地域を選択すると、「地域」は、地域に対応した「地域コード」に変換され、ＭＦＰ情報として保存される。「地域コード」は、例えば、「地域コード１００１：横浜」、「地域コード１００２：海老名」、「地域コード１００３：座間」・・・のように設定される。
【００５２】
また、図６に示す登録画面上の登録ボタンを押下すると、ＭＦＰ１が搭載しているオプション機器の情報がＭＦＰ１から自動的に取得され、保存される。
【００５３】
オプション機器の情報には各オプション機器の装着有無を示すフラグ情報（例えば"１"または"０"）が記載される。
【００５４】
図７は、本発明の一実施形態における広告表示装置２の登録画面例を示す図である。図７に示す登録画面では、広告表示装置２の情報の入力を受け付ける。広告表示装置に関する情報は「広告表示交通手段」、「表示環境」、「表示時間帯」などである。
【００５５】
「広告表示交通手段」は、広告表示装置によって表示された広告が接触する交通手段及び、各交通手段の利用者との接触頻度を示す情報である。交通手段は、例えば、電車、自動車、歩行者があり、それぞれの交通手段の利用者との接触頻度は、「電車接触度」、「自動車接触度」、「歩行者接触度」のように表現される。
【００５６】
「電車接触度」は、広告表示装置２によって表示される広告が電車の乗客などの目に触れる頻度を示す情報である。「電車接触度」には、例えば、電車が表示した広告の前を通過する頻度に応じて、「高」、「中」、「低」、「無」というような評価値を設定する。図８は評価値を設定時に用いる評価値の対応テーブルの例を示す図である。
【００５７】
図８に示すように電車が０〜１０分間に１本以上通過する場合、通過する電車の数が多く、電車の乗客などの目に触れる頻度が高いことから「高」を評価値として設定する。評価値が「無」に設定される場合、表示した広告の前を電車が通る環境にない等、広告が電車の乗客に目に触れる機会がないことを示す。
【００５８】
「自動車接触度」は、広告表示装置２によって表示される広告が自動車に乗車している人の目に触れる頻度を示す情報である。「自動車接触度」には、例えば、自動車が表示した広告の前を通過する頻度に応じて、「高」、「中」、「低」、「無」というような評価値を設定する。図８に示すように自動車が１０秒以下の間隔で１台以上通過する場合、通過する自動車の数が多く、自動車に乗車している人の目に触れる頻度が高いことを示す「高」を評価値として設定する。評価値が「無」に設定される場合、表示した広告の前を自動車が通る環境にない等、広告が自動車に乗車する人の目に触れる機会がないことを示す。
【００５９】
「歩行者接触度」は、広告表示装置２によって表示される広告が歩行者の目に触れる頻度を示す情報である。「歩行者接触度」には、例えば、歩行者が表示した広告の前を通過する頻度に応じて、「高」、「中」、「低」、「無」というような評価値を設定する。図８に示すように歩行者が１分間に１０人以上通る場合、人通りが多く、歩行者の目に触れる頻度が高いことを示す「高」を評価値として設定する。評価値が「無」に設定される場合、表示した広告の前を歩行者が通る環境にない等、広告が歩行者の目に触れる機会がないことを示す。
【００６０】
「表示環境」は、広告表示装置が設置される環境を示す情報である。「表示環境」は、例えば、商業地域、住宅街などである。図７に示す広告表示装置の登録画面で該当する表示環境を選択すると、「表示環境」は、表示環境に対応した「表示環境コード」に変換され、ＭＦＰ情報として保存される。「表示環境コード」は、例えば「表示環境コード１：商業地域」、「表示環境コード２：住宅地」、「表示環境コード３：オフィス街」・・・のように設定される。
【００６１】
「表示時間帯」は、ＭＦＰ１が広告を表示可能な時間帯を示す情報である。広告を表示可能な時間帯は、例えば、ＭＦＰ１の稼働している時間帯を設定する。
【００６２】
ＭＦＰ機能実行手段１５は、ＭＦＰ操作手段１４により要求されたＭＦＰ機能を制御する。
【００６３】
≪広告表示装置≫
広告表示装置２は、広告受信手段２１及び広告表示手段２２を有する。広告受信手段２１は、ＭＦＰ１より送信された広告を受信する。
【００６４】
広告表示手段２２は、受信した広告を、例えばホログラムスクリーン等に表示させる。表示させる投影面は透明なホログラムスクリーンに限定されず、ＭＦＰ１と接続可能なディスプレイ等であってもよい。
【００６５】
透明なホログラムスクリーンを張り付けた窓などに広告を表示させることにより、複数の窓にホログラムスクリーンを貼り付け、１つの広告として表示することができ、電車や自動車に乗車している人に遠くからでも視認可能な広告を表示することができる。
【００６６】
≪ＭＦＰ管理サーバ≫
ＭＦＰ管理サーバ３は、ＭＦＰ情報管理手段３１及びＭＦＰ情報記憶手段３２を有する。ＭＦＰ情報管理手段３１は、ＭＦＰ１からＭＦＰ情報を受信すると共に、受信したＭＦＰ情報の登録、更新、削除などＭＦＰ情報の管理を行う。また、ＭＦＰ情報管理手段３１は、広告管理サーバ５からのＭＦＰ情報の送信要求にしたがい、広告管理サーバ５へＭＦＰ情報を送信する。
【００６７】
ＭＦＰ情報記憶手段３２は、図６、図７で示した登録画面を介して入力されたＭＦＰ情報を記憶する。図９は、本発明の一実施形態におけるＭＦＰ情報記憶手段３２に記憶されるＭＦＰ情報のデータの構成例を示す図である。ＭＦＰ情報記憶手段３２に記憶されるＭＦＰ情報の項目は「ＭＦＰ識別番号」、「環境コード」、「地域コード」、「オプション機器情報」、「電車接触度」、「自動車接触度」、「歩行者接触度」、「表示環境コード」及び「表示時間帯」などである。それぞれの項目にはＭＦＰ情報登録画面で入力した値が設定される。
【００６８】
≪事業者管理サーバ≫
事業者管理サーバ４は事業者情報管理手段４１及び事業者情報記憶手段４２を有する。
【００６９】
事業者情報管理手段４１は、事業者より登録された事業者情報の登録、更新、削除など事業者情報の管理を行う。また、事業者情報管理手段４１は広告管理サーバ５から事業者情報の認証要求を受信した場合、事業者情報記憶手段４２に記憶されている該当する事業者情報を参照し、要求を受けた事業者情報の認証を行う。
【００７０】
事業者情報記憶手段４２は、事業者情報を記憶する。記憶する事業者情報は、「事業者名」、「クレジットカード番号」、「事業者ＩＤ」、及び「事業者パスワード」などである。
【００７１】
事業者は、事業者が所有するＰＣのＷｅｂブラウザから事業者登録画面ＵＲＬにアクセスし、図１０に示される事業者登録画面にて「事業者名」などの事業者情報を入力する。
【００７２】
≪広告管理サーバ≫
広告管理サーバ５は、広告投稿受付手段５１、広告管理手段５２、広告記憶手段５３、及び広告配信手段５４を有する。
【００７３】
広告投稿受付手段５１は、事業者から広告投稿画面を介して広告の投稿を受け付ける。図１１は、本発明の一実施形態における広告投稿画面例を示す図である。広告投稿受付手段５１は、図１１にて配信する広告に関する情報と広告の表示に関する情報を含む広告情報の入力を受け付ける。
【００７４】
配信する広告に関する情報は、「事業者ＩＤ」、「パスワード」、「広告期間」、「広告時間帯」、「広告時間」、「広告視認度数」、「広告」などである。「事業者ＩＤ」は広告を投稿する事業者のＩＤを示す情報である。「パスワード」は、事業者登録画面にて「事業者パスワード」として入力した値が記載され、「事業者ＩＤ」と紐づけられており、事業者情報の認証時に使用される情報である。
【００７５】
「広告期間」は投稿する広告を表示させる期間を示す情報である。「広告時間帯」は投稿する広告を表示させる時間帯を示す情報である。
【００７６】
「広告時間」は投稿された広告を表示面に表示させる時間を示す情報である。また、「表示時間」は、投稿された広告が動画である場合、動画の再生時間を示す。
【００７７】
「広告視認度数」は移動中の人にどのくらい投稿した広告を表示させたいかを示す情報である。「広告視認度数」には広告に接触する度合を示す度数を入力する。例えば、「広告視認度数」に１００が入力している広告は、「電車接触度数」、「自動車接触度数」、及び「歩行者接触度数」の合計が１０のＭＦＰ１にて広告を１０回表示されることになる。
【００７８】
「広告」は、広告として表示させる画像や動画などのデータである。投稿する広告が画像である場合、画像データは例えば、ＪＰＥＧ（Joint Photographic Experts Group）形式である。また、投稿する広告が動画である場合、動画データは例えば、ＭＰＥＧ（Moving Picture Experts Group）形式である。また、「広告」は「広告画像」として広告記憶手段５３に記憶される。
【００７９】
図１１で示すように、配信する広告に関する情報を入力後、広告の表示に関する情報を入力する。広告の表示に関する情報には、「表示地域」、「表示環境」、「表示交通手段」などである。
【００８０】
「表示地域」は、投稿された広告を表示させたい地域を示す情報である。「表示地域」は、図１１に示す広告投稿画面にて該当する「表示地域」を選択すると、ＭＦＰ情報に含まれる「表示地域」と同様に表示地域に対応する「表示地域コード」に変換され、広告情報として保存される。
【００８１】
「表示環境」は、投稿された広告を表示させたい環境を示す情報である。「表示環境」は、図１１に示す広告投稿画面にて該当する「表示環境」を選択すると、ＭＦＰ情報に含まれる「表示環境」と同様に表示環境に対応する「表示環境コード」に変換され、広告情報として保存される。
【００８２】
「表示交通手段」は、広告の対象者が利用する交通手段及びその交通手段の通行頻度を示す情報である。広告の対象が利用する交通手段は、例えば、電車、自動車、徒歩などがあり、各交通手段の通行頻度は「電車視認度」、「自動車視認度」、「歩行者視認度」のように表現される。
【００８３】
「電車視認度」は、広告主が希望する電車の通行頻度を示す情報であり、つまりは、どれくらい多くの電車の利用者に広告を視認してもらいたいかを示している。「電車視認度」は、ＭＦＰ情報に設定されている「電車接触度」と同様に、電車が通行する頻度に応じて「高」、「中」、「低」、「無」と設定する。具体的には、広告をより多くの電車の利用者に見てもらいたい場合、評価値には、電車が通行する頻度が高い場所への表示を希望することを示す「高」が設定される。また、電車の利用者を広告の対象としていない場合、評価値には「無」を設定する。
【００８４】
「自動車視認度」は、広告主が希望する自動車の通行頻度を示す情報であり、つまりは、どれくらい多くの自動車を利用する人に広告を視認してもらいたいかを示している。「自動車視認度」は、ＭＦＰ情報に設定されている「自動車接触度」と同様に、自動車に乗車している人が通行する頻度に応じて「高」、「中」、「低」、「無」と設定する。具体的には、より多くの自動車に乗車している人に向けて広告を表示させたい場合、評価値には、自動車の通行が多い場所への表示を希望することを示す「高」が設定される。また、自動車に乗車している人を広告の対象としていない場合、評価値には「無」を設定する。
【００８５】
「歩行者視認度」は、広告主が希望する歩行者が通行する頻度を示す情報であり、つまりは、どれくらい多くの歩行者に広告を視認してもらいたいかを示している。「歩行者視認度」は、ＭＦＰ情報に設定されている「歩行者接触度」と同様に、歩行者が通行する頻度に応じて「高」、「中」、「低」、「無」と設定する。具体的には、より多くの歩行者に向けて広告を表示させたい場合、評価値には歩行者の通行が多い場所への表示を希望することを示す「高」を設定する。また、歩行者を広告の対象としていない場合、「無」を設定する。
【００８６】
広告管理手段５２は、事業者より受け付けた広告の登録、更新、削除など広告の管理を行う。また、広告管理手段５２は、広告が表示可能か否かの問い合わせにしたがって、表示可能か否かの判断を行い、ＭＦＰ１へ通知する。表示可能か否かの判断は、表示広告の残広告視認度数が事業者の設定した視認度数を上回っているか否かを確認することによって行われる。残広告視認度数は、広告管理手段５２によって任意のタイミングで更新される。
【００８７】
広告記憶手段５３は、広告投稿受付手段５１で受け付けた広告を記憶する。図１２は、広告記憶手段５３に記憶される広告のデータ構成例を示す図である。広告記憶手段５３に記憶される広告情報の項目は、「事業者ＩＤ」、「広告ＩＤ」、「広告期間」、「広告時間帯」、「広告時間」、「広告視認度数」、「広告画像」、「表示地域」、「表示環境」、「電車視認度」、「自動車視認度」、「歩行者視認度」、及び「残広告視認度数」などである。
【００８８】
「広告ＩＤ」、「残広告視認度数」を除いて図１１に示す広告登録画面にて入力した項目と同一である。
【００８９】
「広告ＩＤ」は広告投稿受付手段５１にて広告情報が登録された際に割り当てられる広告の識別情報である。広告ＩＤを除くそれぞれの項目は広告投稿画面で入力した値が設定される。
【００９０】
「残広告視認度数」は、電車、自動車、及び歩行者などの移動中の人に、あとどれくらい広告を表示させることができるかを示す情報である。「残広告視認度数」は、「広告視認度」と同様に度数で示される。「残広告視認度数」は、後述するＭＦＰ視認度数に広告の表示回数を掛け合わせたもの（ＭＦＰ視認度数×広告表示回数）を該当する広告を表示したＭＦＰ１ごとに算出し、それを「広告視認度」から減算することによって算出される。
【００９１】
ここでＭＦＰ視認度数について説明する。ＭＦＰ視認度数は、「電車接触度数」、「自動車接触度数」、及び「歩行者接触度数」の合計である。ＭＦＰ視認度数は、ＭＦＰ１を介して表示される広告が電車、自動車、及び歩行者などの交通手段を利用する人の目に触れる頻度を示す情報となる。ＭＦＰ視認度数は、例えば、「電車接触度」が「無」、「自動車接触度」が「低」、及び「歩行者接触度」が「高」に設定されているＭＦＰ１の場合、図８に示す対応テーブルによると電車接触度数が「０」、自動車接触度数が「２」、歩行者接触度数が「４」となり、ＭＦＰ視認度数は「６」となる。
【００９２】
広告配信手段５４は、広告の配信を行う。広告配信手段５４はＭＦＰ管理サーバ３からＭＦＰ情報の取得を行う。広告配信手段５４は、取得したＭＦＰ情報から「表示環境」、「表示地域」、「電車接触度」、「自動車接触度」、「歩行者接触度」などの広告の表示に関する情報のうち所定の項目数以上合致するＭＦＰ１を検出する。広告配信手段５４は、検出したＭＦＰ１へ広告情報を配信する。
【００９３】
＜処理手順＞
≪広告配信処理≫
図１３は、本発明の一実施形態における事業者から広告を投稿されてからＭＦＰに広告が表示されるまでの流れを示すシーケンス図である。
【００９４】
当該処理は、事業者情報及びＭＦＰ情報が登録されている状態で開始される。
【００９５】
事業者は、事業者の所有するＰＣなどのＷｅｂブラウザにて広告投稿画面（図１１参照）にアクセスし、事業者ＩＤとパスワードを入力するとともに、広告を登録する（ステップＳ１）。
【００９６】
事業者管理サーバ４は事業者情報管理手段４１にて、事業者より入力された事業者ＩＤとパスワードにしたがって、事業者情報の認証を行い、事業者情報の認証完了後、広告管理サーバ５は広告記憶手段５３にて、事業者から投稿された広告を広告記憶手段５３へ保存する（ステップＳ２、Ｓ３）。
【００９７】
広告管理サーバ５は、広告配信手段５４にて、ＭＦＰ管理サーバ３からＭＦＰ情報を取得する（ステップＳ４、Ｓ５）。
【００９８】
広告管理サーバ５は広告配信手段５４にて、ＭＦＰ情報にしたがって、配信先となるＭＦＰを検索する（ステップＳ６）。該当するＭＦＰの検索は、例えば、「地域」、「広告表示環境」など広告表示装置の立地に関する情報の項目が、広告情報に含まれる「表示地域」、「表示環境」などの広告の表示に関する情報と所定の数以上の項目が合致するか否かで行われる。広告管理サーバ５は広告配信手段５４にて、該当するＭＦＰ１へ広告を配信する（ステップＳ７）。
【００９９】
ＭＦＰ１は、配信広告記憶手段１２にて受信した広告を記憶する（ステップＳ８）。ＭＦＰ１は広告表示制御手段１３にて、表示させる広告を選択し、広告が再生可能か否かを広告管理サーバ５に問い合わせる（ステップＳ９）。広告管理サーバ５は広告管理手段５２にて問い合わせを受けた広告が表示可能か否かを判定する（ステップＳ１０）。広告が表示可能か否かの判断は、例えば、広告情報に含まれる「残広告視認度数」が残っているか否か（残広告視認度数が０より大きいか否か）によって行われる。
【０１００】
広告管理サーバ５は、広告管理手段５２にて問い合わせを行った広告が表示可能か否かをＭＦＰ１へ通知する（ステップＳ１１）。
【０１０１】
ＭＦＰ１は広告表示制御手段１３にて、広告の画像又は動画データを広告表示装置２へ送信する（ステップＳ１２）。広告表示装置２は広告表示手段２２にて、受信した画像又は動画データを表示させる（ステップＳ１３）。
【０１０２】
≪広告表示処理≫
図１４は、本発明の一実施形態における事業者から投稿された広告が表示可能であるか否かを判断する処理手順を示すフローチャートである。
【０１０３】
当該処理手順は、ＭＦＰ１に一または複数の広告が記憶されている状態で開始される（ステップＳ２０）。
【０１０４】
広告表示制御手段１３は、ＮＴＰ（Network Time Protocol）サーバなどから現在時刻の情報を取得する（ステップＳ２１）。広告表示制御手段１３は、ＭＦＰ１に設定されている時刻とＮＴＰサーバから取得した時刻とを比較する（ステップＳ２２）。
【０１０５】
ＭＦＰの時刻設定とＮＴＰサーバから取得した時刻が一致する場合（ステップＳ２２：ＹＥＳ）、広告表示制御手段１３は配信広告記憶手段１２から記憶されている広告を取得する（ステップＳ２４）。
【０１０６】
ＭＦＰの時刻設定と取得した時刻が一致しない場合（ステップＳ２２：ＮＯ）、広告表示制御手段１３は、ＭＦＰの時刻設定をＮＴＰサーバから取得した時刻に変更する（ステップＳ２３）。変更後、ステップＳ２４へ進む。
【０１０７】
取得した広告に含まれる広告時間帯と現在時刻とを比較する（ステップＳ２５）。広告時間帯と合致しない場合（ステップＳ２５：ＮＯ）、広告表示制御手段１３はステップＳ２４に戻り、他の広告を取得する。
【０１０８】
現在時刻が広告時間帯と合致する場合（ステップＳ２５：ＹＥＳ）、広告表示制御手段１３は広告管理サーバ５へ当該広告が表示可能か否かを問い合わせる（ステップＳ２６、Ｓ２７）。なお、表示可能かの判断は上述した様に残広告視認度数が残っているか否かで判断する。当該広告が表示できないと通知された場合（ステップＳ２７：ＮＯ）、広告表示制御手段１３は当該広告を配信広告記憶手段１２から削除する。削除後、ステップＳ２３に戻り、配信広告記憶手段１２から他の広告を取得する。
【０１０９】
当該広告が表示可能であることを広告管理サーバ５から通知された場合（ステップＳ２７：ＹＥＳ）、広告表示制御手段１３は広告の画像をプロジェクタへ送信し、広告受信手段２１にて、受信した画像データを表示する。送信後、広告表示制御手段１３は、広告の表示時間を記録する（ステップＳ２８）。
【０１１０】
広告表示制御手段１３は、広告情報に含まれる広告時間に達しているか否かを判断する（ステップＳ２９）。広告を表示している時間が広告時間に達していない場合（ステップＳ２９：ＮＯ）、広告表示手段２２は引き続き広告を表示する。広告を表示している時間が広告時間に達している場合（ステップＳ２９：ＹＥＳ）、広告表示制御手段１３は広告表示手段２２に対して広告の表示を停止させるよう通知する（ステップＳ３０）。広告表示制御手段１３は、ステップＳ２４に戻り、配信広告記憶手段１２から他の広告を取得する。
【０１１１】
以上、上述したように、本発明の実施形態における広告配信システムによれば、事業者の所望する環境に広告を配信し、表示された広告の前を通過する人に向けて表示することができる。これにより、遠くからでも広告を視認させることができ、効果的に広告を表示することができる。
【０１１２】
なお、上述の実施例の全部又は一部はプログラムによって実装され得る。このプログラムは、可搬記録媒体に格納することができる。可搬記録媒体とは、非一時的（ｎｏｎ−ｔｒａｎｓｉｔｏｒｙ）な記憶媒体を言う。可搬記録媒体の例としては、磁気記録媒体、光ディスク、光磁気記録媒体、不揮発性メモリなどがある。可搬型記録媒体に格納されたプログラムが読み出され、プロセッサーによって実行されることにより、本発明の実施例の全部又は一部が実施され得る。
【０１１３】
＜総括＞
以上、ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【０１１４】
１    ＭＦＰ
２    広告表示装置
３    ＭＦＰ管理サーバ
４    事業者管理サーバ
５    広告管理サーバ
１１  配信広告受信手段
１２  配信広告記憶手段
１３  広告表示制御手段
１４  ＭＦＰ操作手段
１５  ＭＦＰ機能実行手段
２１  広告受信手段
２２  広告表示手段
３１  ＭＦＰ情報管理手段
３２  ＭＦＰ情報記憶手段
４１  事業者情報管理手段
４２  事業者情報記憶手段
５１  広告投稿受付手段
５２  広告管理手段
５３  広告記憶手段
５４  広告配信手段
【先行技術文献】
【特許文献】
【０１１５】
【特許文献１】特開２００５−０２５３３９号公報
【特許文献２】特開２００６−１１３６３１号公報
【特許文献３】特開２００８−２７５９９３号公報
【特許文献４】特開２００３−０５８０９２号公報
【図１】
2015153234.tif 000003
【図２】
2015153234.tif 000004
【図３】
2015153234.tif 000005
【図４】
2015153234.tif 000006
【図５】
2015153234.tif 000007
【図６】
2015153234.tif 000008
【図７】
2015153234.tif 000009
【図８】
2015153234.tif 000010
【図９】
2015153234.tif 000011
【図１０】
2015153234.tif 000012
【図１１】
2015153234.tif 000013
【図１２】
2015153234.tif 000014
【図１３】
2015153234.tif 000015
【図１４】
2015153234.tif 000016